(57)【特許請求の範囲】
【請求項１】
車両本体と車輪との間に生じる力を減衰させる減衰装置の減衰力を、前記車両本体の前後加速度と、前輪の回転加速度とを用いて制御する、制御装置であって、
前記前輪側に配置された第１減衰装置における、前記車両本体と前記前輪との間の相対変位が大きくなる伸長方向の減衰力、及び、後輪側に配置された第２減衰装置における、前記車両本体と前記後輪との間の相対変位が小さくなる圧縮方向の減衰力の、一方又は両方の減衰力を制御し、
前記前後加速度が予め定められた０（ｇ）未満である第１所定値以下であり、かつ、前記前輪の前記回転加速度が予め定められた０（ｇ）よりも大きい第２所定値以上である場合には、前記前後加速度が前記第１所定値より大きい場合、又は、前記前輪の前記回転加速度が前記第２所定値未満である場合よりも前記減衰力を大きくするように制御する、
制御装置。
【請求項２】
前記前輪の前記回転加速度が前記前後加速度よりも大きい場合に、前記前輪に生じる制動トルクを調整可能な制動装置を制御して前記前輪のスリップ状態を制御するようにアンチロックブレーキシステムが作動していると判断する
請求項１に記載の制御装置。
【請求項３】
前記アンチロックブレーキシステムが作動していると判断した場合には、前記アンチロックブレーキシステムが作動していると判断していない場合よりも前記減衰力を大きくするように制御する
請求項２に記載の制御装置。
【請求項４】
車両本体と車輪との間に生じる力を減衰させる減衰装置の減衰力を、前記車両本体の前後加速度と、後輪の回転加速度とを用いて制御する、制御装置であって、
前輪側に配置された第１減衰装置における、前記車両本体と前記前輪との間の相対変位が小さくなる圧縮方向の減衰力、及び、前記後輪側に配置された第２減衰装置における、前記車両本体と前記後輪との間の相対変位が大きくなる伸長方向の減衰力の、一方又は両方の減衰力を制御し、
前記前後加速度が予め定められた０（ｇ）よりも大きい第３所定値以上であり、かつ、前記後輪の前記回転加速度が予め定められた０（ｇ）未満である第４所定値以下である場合には、前記前後加速度が前記第３所定値未満である場合、又は、前記後輪の前記回転加速度が前記第４所定値より大きい場合よりも前記減衰力を大きくするように制御する、
制御装置。
【請求項５】
前記後輪の前記回転加速度が前記前後加速度よりも小さい場合に、前記後輪の空転を抑制するように制御するトラクションコントロールシステムが作動していると判断する
請求項４に記載の制御装置。
【請求項６】
前記トラクションコントロールシステムが作動していると判断した場合は、前記トラクションコントロールシステムが作動していると判断していない場合よりも前記減衰力を大きくするように制御する
請求項５に記載の制御装置。
【請求項７】
請求項１から６に記載の制御装置と、前記制御装置によって減衰力が制御されるサスペンションとを備えた、懸架システム。
【発明の詳細な説明】
【技術分野】
【０００１】
本発明は、制御装置、懸架システムに関する。
【背景技術】
【０００２】
従来、車両挙動が不安定になったときにも車体姿勢を適正化することができる制御装置が提案されている。
例えば、特許文献１に記載されたサスペンション制御装置は、車輪速センサが検出した車輪速変動量に基づいて車両の基本入力量を算出する基本入力量算出手段と、基本入力量に基づいて第１目標電流を設定する第１目標電流設定手段と、加速度センサが検出した車体加速度に基づいて第２目標電流を設定する第２目標電流設定手段と、車両の挙動を制御する車両挙動制御装置の非作動時には第１目標電流に基づいて、車両挙動制御装置の作動時には第２目標電流に基づいてダンパを制御するダンパ制御手段とを備える。
【先行技術文献】
【特許文献】
【０００３】
【特許文献１】特開２０１５−４７９０６号公報
【発明の概要】
【発明が解決しようとする課題】
【０００４】
車両の挙動を安定させるためには、懸架装置に生じる振動を低減することが望ましい。特許文献１に開示されている技術には、車両の挙動を安定させるという点で、さらなる改善の余地があった。
本発明は、車両の挙動を安定させるように減衰装置の減衰力を制御する制御装置等を提供することを目的とする。
【課題を解決するための手段】
【０００５】
本発明者らは、ブレーキ操作後の車両挙動、より具体的には、ブレーキ操作後の前輪の車輪速、後輪の車輪速、及び、サスペンション挙動の時間変化を解析した。また、本発明者らは、スロットルグリップ操作後の車両挙動を解析した。その結果、車両本体の前後加速度及び車輪の回転加速度を用いて、減衰装置の減衰力を制御することにより、車両の挙動を安定させることが可能になることを知見した。本発明者らは、このような知見に基づいて本発明を完成させた。
以下、本発明について説明する。以下の説明では、本発明の理解を容易にするために添付図面中の参照符号を括弧書きで付記するが、それによって本発明が図示の形態に限定されるものではない。
第１の形態は、車両本体（１０）と車輪（２、３）との間に生じる力を減衰させる減衰装置（２１ｄ、２２ｄ）の減衰力を、前記車両本体（１０）の前後加速度（Ｇｘ）と、前輪（２）の回転加速度（Ａｆ）とを用いて制御する、制御装置（１００、４００、５００）であって、前記前輪（２）側に配置された第１減衰装置（２１ｄ）における、前記車両本体（１０）と前記前輪（２）との間の相対変位が大きくなる伸長方向の減衰力、及び、後輪（３）側に配置された第２減衰装置（２２ｄ）における、前記車両本体（１０）と前記後輪（３）との間の相対変位が小さくなる圧縮方向の減衰力の、一方又は両方の減衰力を制御し、前記前後加速度（Ｇｘ）が予め定められた０（ｇ）未満である第１所定値（Ｇｘ１）以下であり、かつ、前記前輪（２）の前記回転加速度（Ａｆ）が予め定められた０（ｇ）よりも大きい第２所定値（Ａｆ１）以上である場合には、前記前後加速度（Ｇｘ）が前記第１所定値（Ｇｘ１）より大きい場合、又は、前記前輪（２）の前記回転加速度（Ａｆ）が前記第２所定値（Ａｆ１）未満である場合よりも前記減衰力を大きくするように制御する、制御装置（１００、４００、５００）である。
また、上記第１の形態において、前記前輪（２）の前記回転加速度（Ａｆ）が前記前後加速度（Ｇｘ）よりも大きい場合に、前記前輪（２）に生じる制動トルクを調整可能な制動装置（６０）を制御して前記前輪（２）のスリップ状態を制御するようにアンチロックブレーキシステム（８０）が作動していると判断しても良い。
また、上記第１の形態において、前記アンチロックブレーキシステム（８０）が作動していると判断した場合には、前記アンチロックブレーキシステム（８０）が作動していると判断していない場合よりも前記減衰力を大きくするように制御しても良い。
また、第２の形態は、車両本体（１０）と車輪（２、３）との間に生じる力を減衰させる減衰装置（２１ｄ、２２ｄ）の減衰力を、前記車両本体（１０）の前後加速度（Ｇｘ）と、後輪（３）の回転加速度（Ａｒ）とを用いて制御する、制御装置（６００、７００、８００）であって、前輪（２）側に配置された第１減衰装置（２１ｄ）における、前記車両本体（１０）と前記前輪（２）との間の相対変位が小さくなる圧縮方向の減衰力、及び、前記後輪（３）側に配置された第２減衰装置（２２ｄ）における、前記車両本体（１０）と前記後輪（３）との間の相対変位が大きくなる伸長方向の減衰力の、一方又は両方の減衰力を制御し、前記前後加速度（Ｇｘ）が予め定められた０（ｇ）よりも大きい第３所定値（Ｇｘ３）以上であり、かつ、前記後輪（３）の前記回転加速度（Ａｒ）が予め定められた０（ｇ）未満である第４所定値（Ａｒ１）以下である場合には、前記前後加速度（Ｇｘ）が前記第３所定値（Ｇｘ３）未満である場合、又は、前記後輪（３）の前記回転加速度（Ａｒ）が前記第４所定値（Ａｒ１）より大きい場合よりも前記減衰力を大きくするように制御する、制御装置（６００、７００、８００）である。
また、上記第２の形態において、前記後輪（３）の前記回転加速度（Ａｒ）が前記前後加速度（Ｇｘ）よりも小さい場合に、前記後輪（３）の空転を抑制するように制御するトラクションコントロールシステム（９０）が作動していると判断しても良い。
また、上記第２の形態において、前記トラクションコントロールシステム（９０）が作動していると判断した場合は、前記トラクションコントロールシステム（９０）が作動していると判断していない場合よりも前記減衰力を大きくするように制御しても良い。
また、第３の形態は、上記の制御装置（１００、４００、５００、６００、７００、８００）と、前記制御装置（１００、４００、５００、６００、７００、８００）によって減衰力が制御されるサスペンション（２１、２２）とを備えた、懸架システム（２０）である。
【発明の効果】
【０００６】
本発明によれば、車両の挙動を安定させるように減衰装置の減衰力を制御することができる制御装置等を提供することができる。
【図面の簡単な説明】
【０００７】
【図１】第１の実施形態に係る自動二輪車１の概略構成を示す図である。
【図２】第１の実施形態に係る減衰装置２００の概略構成を示す図である。
【図３】第１の実施形態に係る制御装置１００の概略構成を示す図である。
【図４】基準電流Ｉｂｆと速度Ｖｐｆとの関係の例を示す制御マップの概略図である。
【図５】第１の実施形態に係る補正部１２２の概略構成を示す図である。
【図６】補正部１２２が行う設定処理の手順を示すフローチャートである。
【図７】第１比較車において、ブレーキ操作が行われた際の挙動を示す図である。
【図８】自動二輪車１において、ブレーキ操作が行われた際の挙動を示す図である。
【図９】第２の実施形態に係る制御装置４００の補正部４２２の概略構成を示す図である。
【図１０】第３の実施形態に係る制御装置５００の補正部５２２の概略構成を示す図である。
【図１１】第４の実施形態に係る制御装置６００の補正部６２２の概略構成を示す図である。
【図１２】第５の実施形態に係る制御装置７００の補正部７２２の概略構成を示す図である。
【図１３】第６の実施形態に係る制御装置８００の補正部８２２の概略構成を示す図である。
【発明を実施するための形態】
【０００８】
以下、添付図面を参照して、本発明の実施の形態について詳細に説明する。
＜第１の実施形態＞
図１は、第１の実施形態に係る自動二輪車１の概略構成を示す図である。
図２は、第１の実施形態に係る減衰装置２００の概略構成を示す図である。
図３は、第１の実施形態に係る制御装置１００の概略構成を示す図である。
自動二輪車１は、前側の車輪である前輪２と、後側の車輪である後輪３と、車両本体１０とを備えている。車両本体１０は、自動二輪車１の骨格をなす車体フレーム１１と、ハンドル１２と、ブレーキレバー１３と、シート１４とを有している。シート１４に着座した運転者から見た場合のハンドル１２の右端部には、ハンドル１２の軸に対して回動可能であり、自動二輪車１の加速を指示するスロットルグリップ１７が設けられている。
また、自動二輪車１は、前輪２と車両本体１０とを連結する前輪側のサスペンション２１を有している。また、自動二輪車１は、前輪２の左右それぞれに配置された２つのサスペンション２１を保持する２つのブラケット１５と、２つのブラケット１５の間に配置されたシャフト１６とを備えている。サスペンション２１は、路面等から前輪２に加わった衝撃を吸収する懸架スプリング２１ｓと、懸架スプリング２１ｓの振動を減衰する減衰装置２１ｄとを備えている。
【０００９】
また、自動二輪車１は、後輪側のサスペンション２２を有している。サスペンション２２は、路面等から後輪３に加わった衝撃を吸収する懸架スプリング２２ｓと、懸架スプリング２２ｓの振動を減衰する減衰装置２２ｄとを備えている。
以下の説明において、減衰装置２１ｄと減衰装置２２ｄとをまとめて「減衰装置２００」と称する場合もある。
【００１０】
自動二輪車１は、サスペンション２１の伸縮量を検出するストロークセンサ３１と、サスペンション２２の伸縮量を検出するストロークセンサ３２とを有している。以下の説明において、ストロークセンサ３１とストロークセンサ３２とをまとめて「ストロークセンサ３０」と称する場合もある。
また、自動二輪車１は、前輪２の回転速度を検出する車輪速センサ４１と、後輪３の回転速度を検出する車輪速センサ４２とを有している。
また、自動二輪車１は、自動二輪車１の前後方向の加速度を検出する、前後加速度センサの一例としての前後Ｇセンサ５０を有している。
また、自動二輪車１は、ストロークセンサ３１、３２、車輪速センサ４１、４２及び前後Ｇセンサ５０の検出値を用いて、減衰装置２１ｄ及び減衰装置２２ｄの減衰力を制御する制御装置１００を備えている。
本発明に係る懸架システム２０は、サスペンション２１、２２と、制御装置１００とを有するシステムである。
【００１１】
また、自動二輪車１は、前輪２側に、ブレーキ装置６０を備えている。ブレーキ装置６０は、前輪２のハブの外周側に設けられ、かつ、前輪２と一体に回転するディスク６１と、ディスク６１を挟み込んで前輪２に制動力（摩擦力）を付与するキャリパ６２とを有している。また、自動二輪車１は、挟み込みのためのブレーキ圧（油圧）をキャリパ６２に供給する前輪側マスターシリンダ（不図示）を有している。
【００１２】
また、自動二輪車１は、後輪３側に、ディスク式のブレーキ装置７０を備えている。ブレーキ装置７０は、後輪３のハブの外周側に設けられ、かつ、後輪３と一体に回転するディスク７１と、ディスク７１を挟み込んで後輪３に制動力（摩擦力）を付与するキャリパ７２とを有している。また、自動二輪車１は、ブレーキペダル７３と、ブレーキペダル７３の操作に応じて、キャリパ７２にブレーキ圧を供給する後輪側マスターシリンダ（不図示）とを有している。
【００１３】
また、自動二輪車１は、前輪側マスターシリンダとキャリパ６２とを接続する配管の途中、及び、後輪側マスターシリンダとキャリパ７２とを接続する配管の途中にアンチロックブレーキシステム（Antilock Brake System）８０を備えている。アンチロックブレーキシステム８０は、前輪２、後輪３の制動時に、前輪２、後輪３のスリップ（ロック）を回避するために、スリップ率が所望のスリップ率となるように、キャリパ６２、キャリパ７２のブレーキ圧を制御する。以下において、アンチロックブレーキシステム８０を、「ＡＢＳ８０」と称する場合もある。
また、自動二輪車１は、駆動輪である後輪３のスリップを検出したときに、後輪３の駆動トルクを低下させる制御を行うことにより、後輪３のスリップを抑制するトラクションコントロールシステム（Traction Control System）９０を備えている。トラクションコントロールシステム９０が行う後輪３の駆動トルクを低下させる制御としては、エンジン（不図示）の出力トルク（以下、「エンジントルク」と称する場合もある。）を低下させる制御、ブレーキ装置７０にて後輪３にブレーキをかける制御等を例示することができる。以下において、トラクションコントロールシステム９０を、「ＴＣＳ９０」と称する場合もある。
【００１４】
（減衰装置）
減衰装置２００は、作動油で満たされたシリンダ２１０と、ピストン２２１と、ピストンロッド２２２とを備えている。シリンダ２１０の一方側（図２においては上側）の端部２１０ａが車両本体１０に連結されている。ピストンロッド２２２は、一方側の端部にピストン２２１を保持し、他方側（図２においては下側）の端部２２２ａが車輪に連結されている。
シリンダ２１０内は、ピストン２２１がシリンダ２１０内に収容されていることにより、圧縮行程において作動油の圧力が高まる油室２１１と、伸長行程において作動油の圧力が高まる油室２１２とに区画されている。
【００１５】
減衰装置２００は、シリンダ２１０内の油室２１１に接続された第１油路２３１と、シリンダ２１０内の油室２１２に接続された第２油路２３２とを有している。また、減衰装置２００は、第１油路２３１と第２油路２３２との間に設けられた第３油路２３３と、第３油路２３３に設けられた減衰力制御弁２４０とを有している。また、減衰装置２００は、第１油路２３１と第３油路２３３の一方の端部とを接続する第１分岐路２５１と、第１油路２３１と第３油路２３３の他方の端部とを接続する第２分岐路２５２と、を有している。また、減衰装置２００は、第２油路２３２と第３油路２３３の一方の端部とを接続する第３分岐路２５３と、第２油路２３２と第３油路２３３の他方の端部とを接続する第４分岐路２５４と、を有している。
【００１６】
また、減衰装置２００は、第１分岐路２５１に設けられた第１チェック弁２７１と、第２分岐路２５２に設けられた第２チェック弁２７２とを有している。また、減衰装置２００は、第３分岐路２５３に設けられた第３チェック弁２７３と、第４分岐路２５４に設けられた第４チェック弁２７４とを有している。また、減衰装置２００は、作動油を貯留すると共に作動油を給排する機能を有するリザーバ２９０と、リザーバ２９０と第３油路２３３の他方の端部とを接続するリザーバ通路２９１とを有している。
減衰力制御弁２４０は、ソレノイドを有しており、ソレノイドに通電する電流量が制御されることによって、弁を通過する作動油の圧力を制御可能である。本実施の形態に係る減衰力制御弁２４０は、ソレノイドに供給される電流量が大きくなるのに従って弁を通過する作動油の圧力を高くする。ソレノイドに通電する電流量は、制御装置１００によって制御される。
【００１７】
ピストン２２１が油室２１１の方に移動すると、油室２１１の油圧が上昇する。そして、油室２１１内の作動油が、第１油路２３１、及び、第１分岐路２５１を介して、減衰力制御弁２４０に向かう。減衰力制御弁２４０を通過する作動油の圧力が減衰力制御弁２４０の弁圧にて調整されることにより、圧縮側の減衰力が調整される。減衰力制御弁２４０を通過した作動油は、第４分岐路２５４、及び、第２油路２３２を介して、油室２１２に流入する。
他方、ピストン２２１が油室２１２の方に移動すると、油室２１２の油圧が上昇する。そして、油室２１２内の作動油が、第２油路２３２、及び、第３分岐路２５３を介して、減衰力制御弁２４０に向かう。減衰力制御弁２４０を通過する作動油の圧力が減衰力制御弁２４０の弁圧にて調整されることにより、伸長側の減衰力が調整される。減衰力制御弁２４０を通過した作動油は、第２分岐路２５２、及び、第１油路２３１を介して、油室２１１に流入する。
【００１８】
（制御装置１００）
制御装置１００は、ＣＰＵ、ＲＯＭ、ＲＡＭ、バックアップＲＡＭ等からなる算術論理演算回路である。
図３に示したように、制御装置１００には、ストロークセンサ３１にて検出されたサスペンション２１のストローク量が出力信号に変換された、前輪側のストローク信号ｓｆが入力される。また、制御装置１００には、ストロークセンサ３２にて検出されたサスペンション２２のストローク量が出力信号に変換された、後輪側のストローク信号ｓｒが入力される。このほか、制御装置１００には、車輪速センサ４１にて検出された前輪２の回転速度が出力信号に変換された、前輪側の回転速度信号ｖｗｆが入力される。また、制御装置１００には、車輪速センサ４２にて検出された後輪３の回転速度が出力信号に変換された、後輪側の回転速度信号ｖｗｒが入力される。また、制御装置１００には、前後Ｇセンサ５０にて検出された車両本体１０の前後方向の加速度が出力信号に変換された、出力信号ｇ等が入力される。
【００１９】
制御装置１００は、減衰力制御弁２４０のソレノイドに供給する電流量を制御することにより、減衰力を制御する。具体的には、制御装置１００は、減衰力を大きくする場合には、減衰力制御弁２４０のソレノイドに供給する電流量を大きくし、減衰力を小さくする場合には、減衰力制御弁２４０のソレノイドに供給する電流量を小さくする。
制御装置１００は、ストロークセンサ３０からのストローク信号ｓｆ、ｓｒを用いて、サスペンション２１のストローク量の変化の速度である速度Ｖｐｆ、及び、サスペンション２２のストローク量の変化の速度である速度Ｖｐｒを算出する、算出部１１０を備えている。また、制御装置１００は、減衰力制御弁２４０のソレノイドに供給する目標電流Ｉｔｆ、Ｉｔｒを設定する設定部１２０と、減衰力制御弁２４０を駆動させる駆動部１３０とを備えている。
【００２０】
算出部１１０は、単位時間当たりの、サスペンション２１のストローク量の変化量を算出することにより、前輪側の速度Ｖｐｆを算出する。また、算出部１１０は、単位時間当たりの、サスペンション２２のストローク量の変化量を算出することにより、後輪側の速度Ｖｐｒを算出する。なお、以下の説明において、サスペンション２１、２２の伸長方向における速度Ｖｐの符号を正、サスペンション２１、２２の圧縮方向における速度Ｖｐの符号を負とする。
設定部１２０については後で詳述する。
【００２１】
駆動部１３０は、例えば電源の正極側ラインと、減衰力制御弁２４０のソレノイドのコイルとの間に接続された、スイッチング素子としてのトランジスタ（Field Effect Transistor：ＦＥＴ）を備えている。
より具体的には、駆動部１３０は、減衰装置２１ｄの減衰力制御弁２４０へと供給する目標電流が、設定部１２０によって設定された目標電流Ｉｔｆとなるように、トランジスタをスイッチング動作させる。また、駆動部１３０は、減衰装置２２ｄの減衰力制御弁２４０へと供給する目標電流が、設定部１２０によって設定された目標電流Ｉｔｒとなるように、トランジスタをスイッチング動作させる。
【００２２】
（設定部１２０）
設定部１２０は、算出部１１０が算出した速度Ｖｐｆ等に基づいて、減衰装置２１ｄの減衰力制御弁２４０のソレノイドへと供給する、前輪側の目標電流Ｉｔｆを設定する。また、設定部１２０は、算出部１１０が算出した速度Ｖｐｒ等に基づいて、減衰装置２２ｄの減衰力制御弁２４０のソレノイドへと供給する、後輪側の目標電流Ｉｔｒを設定する。
設定部１２０は、目標電流Ｉｔｆ、Ｉｔｒを設定する上で基準となる基準電流Ｉｂｆ、Ｉｂｒを設定する、基準部１２１を有している。また、設定部１２０は、自動二輪車１の走行状態に応じて基準電流Ｉｂｆ、Ｉｂｒを補正するための補正電流Ｉｃｆ、Ｉｃｒを設定する、補正部１２２を有している。
また、設定部１２０は、基準部１２１が設定した基準電流Ｉｂｆ、Ｉｂｒと、補正部１２２が設定した補正電流Ｉｃｆ、Ｉｃｒと、を加算することにより、最終的に目標電流Ｉｔｆ、Ｉｔｒを設定する目標設定部１２３を有している。
【００２３】
図４は、基準電流Ｉｂｆと速度Ｖｐｆとの関係の例を示す制御マップの概略図である。
基準部１２１は、速度Ｖｐｆに応じた基準電流Ｉｂｆを算出する。基準部１２１は、例えば、予め経験則に基づいて作成しＲＯＭに記録しておいた、基準電流Ｉｂｆと速度Ｖｐｆとの関係を示す図４に例示した制御マップに、速度Ｖｐｆを代入することにより基準電流Ｉｂｆを算出する。
図４に例示した制御マップにおいては、速度Ｖｐｆが負である場合には、速度Ｖｐｆが第１所定速度Ｖ１以上であるときには速度Ｖｐｆが小さいほど電流量が大きくなり、速度Ｖｐｆが第１所定速度Ｖ１より小さいときには一定の電流量となるように設定されている。また、速度Ｖｐｆが正である場合には、速度Ｖｐｆが第２所定速度Ｖ２以下であるときには速度Ｖｐｆが大きいほど電流量が大きく、速度Ｖｐｆが第２所定速度Ｖ２より大きいときには一定の電流量となるように設定されている。
なお、基準部１２１が基準電流Ｉｂｒを算出する手法は、基準電流Ｉｂｆを算出する手法と同じであるので、詳細な説明は省略する。また、基準電流Ｉｂｒと速度Ｖｐｒとの関係の例を示す制御マップは、基準電流Ｉｂｆと速度Ｖｐｆとの関係の例を示す制御マップと同じであるので、詳細な説明は省略する。ただし、基準電流Ｉｂｒと速度Ｖｐｒとの関係を示す制御マップにおいて、第１所定速度Ｖ１、第２所定速度Ｖ２、及び、一定の電流量の具体的な値は、基準電流Ｉｂｆと速度Ｖｐｆとの関係を示す制御マップの場合と同じであっても良いし、異なっていても良い。
【００２４】
（補正部１２２）
図５は、第１の実施形態に係る補正部１２２の概略構成を示す図である。
補正部１２２は、前後Ｇセンサ５０にて検出された前後加速度Ｇｘが予め定められた所定値Ｇｘ１以下であるか否かを判断するとともに、前後加速度Ｇｘが所定値Ｇｘ１以下であると判断した場合には、その旨を出力する第１判断部１５１を有している。所定値Ｇｘ１は、０（ｇ）未満の値であることを例示することができる。
【００２５】
また、補正部１２２は、前輪２の回転加速度を算出する算出部１６１と、算出部１６１が算出した回転加速度の単位を重力加速度に変換する変換部１６２とを有している。算出部１６１は、車輪速センサ４１からの回転速度信号ｖｗｆを用いて（微分することにより）前輪２の回転加速度（ｋｍ／ｈ／ｓ）を算出する。変換部１６２は、算出部１６１にて算出された前輪２の回転加速度（ｋｍ／ｈ／ｓ）の単位を重力加速度（ｇ）に変換し、変換後の値を出力する。以下、変換部１６２にて単位が重力加速度（ｇ）に変換された、変換後の前輪２の回転加速度の値を、前輪加速度Ａｆ（ｇ）と称する場合がある。
そして、補正部１２２は、前輪加速度Ａｆが予め定められた所定値Ａｆ１以上であるか否かを判断するとともに、前輪加速度Ａｆが所定値Ａｆ１以上であると判断した場合には、その旨を出力する第２判断部１６３を有している。所定値Ａｆ１は、０（ｇ）よりも大きな値であることを例示することができる。
【００２６】
また、補正部１２２は、サスペンション２１の伸縮方向が伸長方向であるのか圧縮方向であるのかを判断するとともに、伸長方向であると判断した場合には、その旨を出力する伸縮判断部１８１を有している。伸縮判断部１８１は、速度Ｖｐｆ＞０である場合に伸長方向であると判断する。
【００２７】
また、補正部１２２は、第１判断部１５１による判断結果、第２判断部１６３による判断結果、及び、伸縮判断部１８１による判断結果を用いて補正電流Ｉｃｆを設定する補正設定部１９０を有している。
補正設定部１９０は、前後加速度Ｇｘが所定値Ｇｘ１以下であると第１判断部１５１が判断し、かつ、前輪加速度Ａｆが所定値Ａｆ１以上であると第２判断部１６３が判断し、かつ、サスペンション２１の伸縮方向が伸長方向であると伸縮判断部１８１が判断した場合には、予め定められた所定量Ｉ０を補正電流Ｉｃｆとして設定する。すなわち、補正設定部１９０は、前後加速度Ｇｘ≦所定値Ｇｘ１、かつ、前輪加速度Ａｆ≧所定値Ａｆ１、かつ、Ｖｐｆ＞０である場合には所定量Ｉ０を補正電流Ｉｃｆとして設定する。所定量Ｉ０は、図４を用いて説明した、速度Ｖｐｆが第２所定速度Ｖ２より大きいときの基準電流Ｉｂｆよりも小さな、正の電流量であることを例示することができる。
一方、補正設定部１９０は、上記以外の場合、すなわち、前後加速度Ｇｘ＞所定値Ｇｘ１であるか、又は、前輪加速度Ａｆ＜所定値Ａｆ１であるか、又は、サスペンション２１の伸縮方向が伸長方向ではない場合には補正電流Ｉｃｆを０に設定する。
また、補正設定部１９０は、補正電流Ｉｃｒを０に設定する。
【００２８】
上述した第１判断部１５１、算出部１６１、変換部１６２、第２判断部１６３、伸縮判断部１８１、補正設定部１９０は、上記処理を、予め定めた期間（例えば１ミリ秒）毎に繰り返し行う。
【００２９】
次に、フローチャートを用いて、補正部１２２が行う補正電流Ｉｃｆの設定処理の手順について説明する。
図６は、補正部１２２が行う設定処理の手順の一例を示すフローチャートである。
補正部１２２は、この処理を、予め定めた期間（例えば１ミリ秒）毎に繰り返し実行する。
補正部１２２は、先ず、前後Ｇセンサ５０が検出した前後加速度Ｇｘが所定値Ｇｘ１以下（Ｇｘ≦Ｇｘ１）であるか否かを判断する（Ｓ６０１）。これは、第１判断部１５１が判断する処理である。そして、前後加速度Ｇｘが所定値Ｇｘ１以下である場合（Ｓ６０１でＹｅｓ）、変換部１６２から出力された前輪加速度Ａｆが所定値Ａｆ１以上（Ａｆ≧Ａｆ１）であるか否かを判断する（Ｓ６０２）。これは、第２判断部１６３が判断する処理である。そして、前輪加速度Ａｆが所定値Ａｆ１以上である場合（Ｓ６０２でＹｅｓ）、サスペンション２１の伸縮方向が伸長方向であるか否かを判断する（Ｓ６０３）。これは、伸縮判断部１８１が判断する処理である。そして、伸長方向である場合（Ｓ６０３でＹｅｓ）、補正電流Ｉｃｆを所定量Ｉ０に設定する（Ｓ６０４）。
一方、前後加速度Ｇｘが所定値Ｇｘ１以下ではない場合（Ｓ６０１でＮｏ）、補正電流Ｉｃｆを０に設定する（Ｓ６０５）。また、前輪加速度Ａｆが所定値Ａｆ１以上ではない場合（Ｓ６０２でＮｏ）、補正電流Ｉｃｆを０に設定する（Ｓ６０５）。また、伸長方向ではない場合（Ｓ６０３でＮｏ）、補正電流Ｉｃｆを０に設定する（Ｓ６０５）。
【００３０】
以上のように構成された制御装置１００は、以下のように作用する。
図７は、第１比較車において、ブレーキ操作が行われた際の挙動を示す図である。
図８は、自動二輪車１において、ブレーキ操作が行われた際の挙動を示す図である。
以下では、自動二輪車１に対して、制御装置１００の補正部１２２を有しておらず、補正電流Ｉｃｆ、Ｉｃｒを加えない自動二輪車を、第１比較車とする。
第１比較車において、ブレーキレバー１３が急に握られることによる急ブレーキ操作が開始された場合、キャリパ６２のブレーキ圧が上がり、前輪２に制動トルクが働く。その結果、図７に示すように、後輪３の回転速度よりも前輪２の回転速度の方が急激に小さくなる。その後、前輪２のスリップ率が設定値に達すると、ＡＢＳ８０により、キャリパ６２のブレーキ圧が減圧され、制動トルクが減少する。制動トルクが減少したことに起因して前輪２が加速を始め、前輪２のスリップ率が小さくなってくると、再度制動トルクを増加させるべくブレーキ圧を高める。以上のサイクルが、第１比較車の停止まで繰り返される。
【００３１】
前輪２側のサスペンション２１に着目すると、前輪２の制動トルクが増加するとサスペンション２１が縮み、その後、制動トルクが減少して前輪２が加速することでサスペンション２１が伸びる。ゆえに、急ブレーキ操作が行われた後、第１比較車が停止するまで、制動トルクの増加と減少のサイクルが繰り返されることで、サスペンション２１の縮み動作と伸び動作が繰り返され、振動が発生し易くなる。
前輪加速度Ａｆに着目すると、キャリパ６２のブレーキ圧が高められて制動トルクが増加することで、前輪加速度Ａｆは負となる。その後、ＡＢＳ８０により、キャリパ６２のブレーキ圧が減圧されると、制動トルクが減少して前輪２が加速することで、前輪加速度Ａｆは正となる。前後加速度Ｇｘは、ブレーキ操作が行われた後、第１比較車の停止まで負である。
【００３２】
自動二輪車１においては、補正部１２２の補正設定部１９０が、前後加速度Ｇｘが所定値Ｇｘ１以下、かつ、前輪加速度Ａｆが所定値Ａｆ１以上である場合であって、サスペンション２１の伸縮方向が伸長方向（Ｖｐｆ＞０）である場合に、補正電流Ｉｃｆとして所定量Ｉ０を設定する。それゆえ、Ｖｐｆ＞０の場合であって、かつ、所定値Ｇｘ１が０（ｇ）未満の値（負の値）であり、所定値Ａｆ１が０（ｇ）よりも大きな値（正の値）である場合、すなわち、Ａｆ＞Ｇｘである場合には、ＡＢＳ８０によりキャリパ６２のブレーキ圧が減圧されて制動トルクが減少し、前輪２が加速したときに、補正電流Ｉｃｆとして所定量Ｉ０を設定する。これにより、目標電流Ｉｔｆ（＝Ｉｂｆ＋Ｉ０）が大きくなり、伸長方向の減衰力が大きくなる。その結果、サスペンション２１が伸び難くなる。つまり、ＡＢＳ８０により、キャリパ６２のブレーキ圧が減圧され、制動トルクが減少して前輪２が加速する際に、サスペンション２１が伸び難くなる。その結果、急ブレーキ操作が行われた後、自動二輪車１が停止するまでに、制動トルクの増加と減少のサイクルが繰り返されたとしても、振動が発生し難くなる。また、たとえ、振動が発生したとしても、振幅が小さくなる。すなわち、制御装置１００によれば、急ブレーキ操作が行われたとしても自動二輪車１の挙動が安定する。それゆえ、操舵フィーリングが向上する。
【００３３】
また、急ブレーキ操作が行われた場合、ＡＢＳ８０によりブレーキ圧が減圧されたことに起因して、制動トルクが減少したときにサスペンション２１が伸び難くなると、その後再度ブレーキ圧が高められて制動トルクが増加したときのばね力が大きくなる。その結果、前輪２の路面との接地荷重が早期に大きくなる。そして、再度ブレーキ圧が高められて制動トルクが増加し、スリップ率が設定値に到達すると、ＡＢＳ８０によりブレーキ圧が減圧される。これらにより、ブレーキ圧が減圧された後に再度ブレーキ圧が高められ、その後再度ブレーキ圧が減圧されるというサイクルの周期が短くなるので、サスペンション２１が伸長方向の動作、圧縮方向の動作、伸長方向の動作へと切り換わる周期が短くなる。また、周期が短くなるので、早期に自動二輪車１が停止する。
このように、制御装置１００によれば、急ブレーキ操作が行われたとしても、振動の振幅を小さくすることができ、さらに、振動の周期を短くすることができる。これにより、自動二輪車１の挙動が安定し、運転者は揺動を感じ難くなる。したがって、制御装置１００を有することにより、急ブレーキ操作が行われたときの挙動が安定し、操舵フィーリングを向上させることが可能な、自動二輪車１を提供することができる。
【００３４】
上述したように、制御装置１００は、車両本体１０と車輪の一例としての前輪２との間に生じる力を減衰させる減衰装置２１ｄの減衰力を、車両本体１０の前後加速度Ｇｘと、前輪２の回転加速度の一例としての前輪加速度Ａｆとを用いて制御する。
急ブレーキ操作が行われた場合について例示したように、前後加速度Ｇｘと前輪加速度Ａｆは、自動二輪車１の挙動を把握する上での指標となる。それゆえ、これらの値を用いて減衰装置２１ｄの減衰力を制御することで、車両の挙動を安定させることが可能となる。
【００３５】
例えば、前後加速度Ｇｘが０（ｇ）未満の値である所定値Ｇｘ１以下、つまり車両本体１０が減速しているときに、前輪加速度Ａｆが０（ｇ）よりも大きな値である所定値Ａｆ１以上、つまり前輪２が加速している状況は、ブレーキ操作を行わない場合には生じない状況である。このような状況である場合に、減衰装置２１ｄの減衰力を大きくすることで、サスペンション２１の動作が不安定になることを抑制することが可能となる。車両本体１０が減速しているときに、前輪２が加速している場合には、車両本体１０が減速しているにも関わらずサスペンション２１が伸長方向に動作していると考えられるため、減衰装置２１ｄの伸長方向の減衰力を大きくすることで、サスペンション２１の動作が不安定になることを抑制することが可能となる。
【００３６】
また、制御装置１００は、前輪２に生じる制動トルクを調整可能な制動装置の一例としてのブレーキ装置６０を制御して前輪２のスリップ状態を制御するように、ＡＢＳ８０が作動している（キャリパ６２のブレーキ圧を減圧している）か否か、を判断する装置としても捉えることができる。そして、制御装置１００は、ＡＢＳ８０が作動していると判断した場合には、ＡＢＳ８０が作動していると判断していない場合よりも減衰力を大きくする。制御装置１００は、前後加速度Ｇｘが所定値Ｇｘ１以下であり、かつ、前輪加速度Ａｆが所定値Ａｆ１以上である場合に、ブレーキ装置６０を制御して前輪２のスリップ状態を制御するようにＡＢＳ８０が作動していると判断する。
なお、本発明者等が鋭意研究したところ、ＡＢＳ８０により、キャリパ６２のブレーキ圧が減圧されると、例えば、前後加速度Ｇｘが−０．３（ｇ）以下であるときに、前輪加速度Ａｆが０．１（ｇ）以上となる特異な状況が起こり得ることが判明した。それゆえ、例えば、所定値Ｇｘ１を−０．３（ｇ）、所定値Ａｆ１を０．１（ｇ）に設定することで、急ブレーキ操作時にＡＢＳ８０によりブレーキ圧が減圧されることに起因して生じる振動を精度高く抑制することができる。
【００３７】
なお、上述した第１の実施形態において、補正電流Ｉｃｆは、一定でなくても良い。例えば、前後加速度Ｇｘが小さいほど大きな値に設定しても良い。
また、補正部１２２は、補正電流Ｉｃｒとして０を出力するのではなく、補正電流Ｉｃｒを出力しないようにしても良い。
【００３８】
＜第２の実施形態＞
図９は、第２の実施形態に係る制御装置４００の補正部４２２の概略構成を示す図である。
第２の実施形態に係る制御装置４００は、第１の実施形態に係る制御装置１００に対して、補正部１２２に相当する補正部４２２が異なる。以下、制御装置１００と異なる点について説明する。制御装置１００と制御装置４００とで、同じ機能を有するものについては同じ符号を付し、その詳細な説明は省略する。
【００３９】
補正部４２２は、伸縮判断部１８１に代えて、サスペンション２２の伸縮方向が伸長方向であるのか圧縮方向であるのかを判断するとともに、圧縮方向であると判断した場合には、その旨を出力する伸縮判断部４８６を有している。伸縮判断部４８６は、速度Ｖｐｒ＜０である場合に圧縮方向であると判断する。
また、補正部４２２は、補正設定部１９０に代えて、第１判断部１５１による判断結果、第２判断部１６３による判断結果、及び、伸縮判断部４８６による判断結果を用いて補正電流Ｉｃｒを設定する補正設定部４９０を有している。
補正設定部４９０は、前後加速度Ｇｘが所定値Ｇｘ２以下であると第１判断部１５１が判断し、かつ、前輪加速度Ａｆが所定値Ａｆ２以上であると第２判断部１６３が判断し、かつ、サスペンション２２の伸縮方向が圧縮方向であると伸縮判断部４８６が判断した場合には、予め定められた所定量Ｉ１を補正電流Ｉｃｒとして設定する。すなわち、補正設定部４９０は、前後加速度Ｇｘ≦所定値Ｇｘ２、かつ、前輪加速度Ａｆ≧所定値Ａｆ２、かつ、Ｖｐｒ＜０である場合には所定量Ｉ１を補正電流Ｉｃｒとして設定する。所定量Ｉ１は、速度Ｖｐｒが第１所定速度Ｖ１より小さいときの基準電流Ｉｂｒよりも小さな、正の電流量であることを例示することができる。
一方、補正設定部４９０は、上記以外の場合、すなわち、前後加速度Ｇｘ＞所定値Ｇｘ２であるか、又は、前輪加速度Ａｆ＜所定値Ａｆ２であるか、又は、サスペンション２２の伸縮方向が圧縮方向ではない場合には補正電流Ｉｃｒを０に設定する。
また、補正設定部４９０は、補正電流Ｉｃｆを０に設定する。
上述した伸縮判断部４８６、補正設定部４９０は、上記処理を、予め定めた期間（例えば１ミリ秒）毎に繰り返し行う。
【００４０】
第１比較車において、ブレーキレバー１３が急に握られることによる急ブレーキ操作が行われた場合に、後輪側のサスペンション２２に着目すると、前輪２の制動トルクが増加するとサスペンション２２が伸び、その後、制動トルクが減少して前輪２が加速することでサスペンション２２が縮む。ゆえに、急ブレーキ操作が行われた後、第１比較車が停止するまで、制動トルクの増加と減少のサイクルが繰り返されることで、サスペンション２２の伸び動作と縮み動作が繰り返され、振動が発生し易くなる。
【００４１】
これに対して、第２の実施形態に係る制御装置４００を有する自動二輪車においては、補正部４２２の補正設定部４９０が、前後加速度Ｇｘが所定値Ｇｘ２以下、かつ、前輪加速度Ａｆが所定値Ａｆ２以上である場合であって、サスペンション２２の伸縮方向が圧縮方向（Ｖｐｒ＜０）である場合に、補正電流Ｉｃｒとして所定量Ｉ１を設定する。それゆえ、Ｖｐｒ＜０である場合であって、かつ、所定値Ｇｘ２が０（ｇ）未満の値（負の値）であり、所定値Ａｆ２が０（ｇ）よりも大きな値（正の値）である場合、すなわち、Ａｆ＞Ｇｘである場合には、ＡＢＳ８０によりキャリパ６２のブレーキ圧が減圧され、制動トルクが減少し、前輪２が加速したときに、補正電流Ｉｃｒとして所定量Ｉ１を設定する。これにより、目標電流Ｉｔｒが大きくなり、圧縮方向の減衰力が大きくなる。その結果、サスペンション２２が縮み難くなる。つまり、ＡＢＳ８０により、キャリパ６２のブレーキ圧が減圧され、制動トルクが減少して前輪２が加速する際に、サスペンション２２が縮み難くなる。その結果、急ブレーキ操作が行われた後、自動二輪車１が停止するまでに、制動トルクの増加と減少のサイクルが繰り返されたとしても、振動が発生し難くなる。また、たとえ、振動が発生したとしても、振幅が小さくなる。さらに、ブレーキ圧が減圧された後に再度ブレーキ圧が高められ、その後再度ブレーキ圧が減圧されるというサイクルの周期が短くなる。
このように、制御装置４００によれば、急ブレーキ操作が行われたとしても、振動の振幅を小さくすることができ、さらに、振動の周期を短くすることができる。これにより、自動二輪車１の挙動が安定し、運転者は揺動を感じ難くなる。したがって、制御装置４００を有することにより、急ブレーキ操作が行われたときの挙動が安定し、操舵フィーリングを向上させることが可能な、自動二輪車を提供することができる。
【００４２】
なお、上述した第２の実施形態において、補正電流Ｉｃｒは、一定でなくても良い。例えば、前後加速度Ｇｘが小さいほど大きな値に設定しても良い。
また、補正部４２２は、補正電流Ｉｃｆとして０を出力するのではなく、補正電流Ｉｃｆを出力しないようにしても良い。
また、第２の実施形態における所定値Ｇｘ２は、第１の実施形態における所定値Ｇｘ１と同一であっても良く、異なっていても良い。
また、第２の実施形態における所定値Ａｆ２は、第１の実施形態における所定値Ａｆ１と同一であっても良く、異なっていても良い。
【００４３】
＜第３の実施形態＞
図１０は、第３の実施形態に係る制御装置５００の補正部５２２の概略構成を示す図である。
第３の実施形態に係る制御装置５００は、第１の実施形態に係る制御装置１００に対して、補正部１２２に相当する補正部５２２が異なる。以下、制御装置１００と異なる点について説明する。制御装置１００と制御装置５００とで、同じ機能を有するものについては同じ符号を付し、その詳細な説明は省略する。
【００４４】
補正部５２２は、伸縮判断部１８１に加えて、第２の実施形態に係る補正部４２２が有する伸縮判断部４８６を有している。
また、補正部５２２は、補正設定部１９０に代えて、第１判断部１５１による判断結果、第２判断部１６３による判断結果、及び、伸縮判断部１８１による判断結果を用いて補正電流Ｉｃｆを設定するとともに、第１判断部１５１による判断結果、第２判断部１６３による判断結果、及び、伸縮判断部４８６による判断結果を用いて補正電流Ｉｃｒを設定する補正設定部５９０を有している。
【００４５】
補正設定部５９０は、補正設定部１９０と同様の手法を用いて、補正電流Ｉｃｆを設定する。また、補正設定部５９０は、第２の実施形態に係る補正設定部４９０と同様の手法を用いて、補正電流Ｉｃｒを設定する。
つまり、補正設定部５９０は、前後加速度Ｇｘ≦所定値Ｇｘ１、かつ、前輪加速度Ａｆ≧所定値Ａｆ１である場合に、Ｖｐｆ＞０である場合には所定量Ｉ０を補正電流Ｉｃｆとして設定する。また、補正設定部５９０は、前後加速度Ｇｘ≦Ｇｘ２、かつ、前輪加速度Ａｆ≧所定値Ａｆ２である場合に、Ｖｐｒ＜０である場合には所定量Ｉ１を補正電流Ｉｃｒとして設定する。
一方、補正設定部５９０は、上記以外の場合には補正電流Ｉｃｆ、Ｉｃｒを０に設定する。
第３の実施形態に係る制御装置５００によれば、第１の実施形態に係る制御装置１００が奏する効果と、第２の実施形態に係る制御装置４００が奏する効果とを奏することができる。すなわち、制御装置５００によれば、急ブレーキ操作が行われたとしても、振動の振幅を小さくすることができ、さらに、振動の周期を短くすることができる。これにより、自動二輪車の挙動が安定し、運転者は揺動を感じ難くなる。したがって、制御装置５００を有することにより、急ブレーキ操作が行われたときの挙動が安定し、操舵フィーリングを向上させることが可能な、自動二輪車を提供することができる。
【００４６】
＜第４の実施形態＞
図１１は、第４の実施形態に係る制御装置６００の補正部６２２の概略構成を示す図である。
第４の実施形態に係る制御装置６００は、第１の実施形態に係る制御装置１００に対して、補正部１２２に相当する補正部６２２が異なる。以下、制御装置１００と異なる点について説明する。制御装置１００と制御装置６００とで、同じ機能を有するものについては同じ符号を付し、その詳細な説明は省略する。
【００４７】
補正部６２２は、前後Ｇセンサ５０にて検出された前後加速度Ｇｘが予め定められた所定値Ｇｘ３以上であるか否かを判断するとともに、前後加速度Ｇｘが所定値Ｇｘ３以上であると判断した場合には、その旨を出力する第３判断部６５２を有している。所定値Ｇｘ３は、０（ｇ）よりも大きい値であることを例示することができる。
また、補正部６２２は、算出部１６１、変換部１６２に代えて、後輪３の回転加速度を算出する算出部６７１と、算出部６７１が算出した回転加速度の単位を重力加速度に変換する変換部６７２とを有している。算出部６７１は、車輪速センサ４２からの回転速度信号ｖｗｒを用いて（微分することにより）後輪３の回転加速度（ｋｍ／ｈ／ｓ）を算出する。変換部６７２は、算出部６７１にて算出された後輪３の回転加速度（ｋｍ／ｈ／ｓ）の単位を重力加速度（ｇ）に変換し、変換後の値を出力する。以下、変換部６７２にて単位が重力加速度（ｇ）に変換された、変換後の後輪３の回転加速度（ｋｍ／ｈ／ｓ）の値を、後輪加速度Ａｒ（ｇ）と称する場合がある。
そして、補正部６２２は、第２判断部１６３に代えて、後輪加速度Ａｒが予め定められた所定値Ａｒ１以下であるか否かを判断するとともに、後輪加速度Ａｒが所定値Ａｒ１以下であると判断した場合には、その旨を出力する第４判断部６７３を有している。
【００４８】
補正部６２２は、伸縮判断部１８１に代えて、サスペンション２２の伸縮方向が伸長方向であるのか圧縮方向であるのかを判断するとともに、伸長方向であると判断した場合には、その旨を出力する伸縮判断部６８７を有している。伸縮判断部６８７は、速度Ｖｐｒ＞０である場合に伸長方向であると判断する。
【００４９】
また、補正部６２２は、補正設定部１９０に代えて、第３判断部６５２による判断結果、第４判断部６７３による判断結果、及び、伸縮判断部６８７による判断結果を用いて補正電流Ｉｃｒを設定する補正設定部６９０を有している。
補正設定部６９０は、前後加速度Ｇｘが所定値Ｇｘ３以上であると第３判断部６５２が判断し、かつ、後輪加速度Ａｒが所定値Ａｒ１以下であると第４判断部６７３が判断し、かつ、サスペンション２２の伸縮方向が伸長方向であると伸縮判断部６８７が判断した場合には、予め定められた所定量Ｉ２を補正電流Ｉｃｒとして設定する。すなわち、補正設定部６９０は、前後加速度Ｇｘ≧所定値Ｇｘ３、かつ、後輪加速度Ａｒ≦所定値Ａｒ１、かつ、Ｖｐｒ＞０である場合には所定量Ｉ２を補正電流Ｉｃｒとして設定する。所定量Ｉ２は、図４を用いて説明した、速度Ｖｐｒが第２所定速度Ｖ２より大きいときの基準電流Ｉｂｒよりも小さな、正の電流量であることを例示することができる。
一方、補正設定部６９０は、上記以外の場合、すなわち、前後加速度Ｇｘ＜所定値Ｇｘ３であるか、又は、後輪加速度Ａｒ＞所定値Ａｒ１であるか、又は、サスペンション２２の伸縮方向が伸長方向ではない場合には補正電流Ｉｃｒを０に設定する。
また、補正設定部６９０は、補正電流Ｉｃｆを０に設定する。
上述した第３判断部６５２、算出部６７１、変換部６７２、第４判断部６７３、伸縮判断部６８７、補正設定部６９０は、上記処理を、予め定めた期間（例えば１ミリ秒）毎に繰り返し行う。
【００５０】
以上のように構成された制御装置６００は、以下のように作用する。
以下では、制御装置６００を有する自動二輪車に対して、制御装置６００の補正部６２２を有しておらず、補正電流Ｉｃｆ、Ｉｃｒを加えない自動二輪車を第２比較車とする。
第２比較車において、スロットルグリップ１７が急に回されることによる急加速操作が行われた場合、エンジントルクが急激に大きくなり、後輪３の駆動トルクが急激に大きくなるため、前輪２の回転速度よりも後輪３の回転速度の方が急激に大きくなる。そして、後輪３が空転すると、ＴＣＳ９０により、後輪３の駆動トルクが低下させられる。駆動トルクが減少したことに起因して後輪３が減速し始め、後輪３が空転しなくなると、ＴＣＳ９０が作動しなくなり、再度駆動トルクが増加する。以上のサイクルが、第２比較車のスロットルグリップ１７が戻されるまで繰り返される。
【００５１】
後輪３側のサスペンション２２に着目すると、後輪３の駆動トルクが減少するとサスペンション２２が伸び、その後、駆動トルクが増加して後輪３が加速することでサスペンション２２が縮む。ゆえに、スロットルグリップ１７が急激に回された後再度戻されるまで、駆動トルクの減少と増加のサイクルが繰り返されることで、サスペンション２２の伸び動作と縮み動作が繰り返され、振動が発生し易くなる。
後輪加速度Ａｒに着目すると、スロットルグリップ１７が急激に回されて駆動トルクが増加することで、後輪加速度Ａｒは正となる。その後、ＴＣＳ９０により、駆動トルクが低下させられると、後輪３が減速することで、後輪加速度Ａｒは負となる。前後加速度Ｇｘは、急加速が行われた後、第２比較車が定速となるまで正である。
【００５２】
制御装置６００を有する自動二輪車においては、補正部６２２の補正設定部６９０が、前後加速度Ｇｘが所定値Ｇｘ３以上、かつ、後輪加速度Ａｒが所定値Ａｒ１以下である場合であって、サスペンション２２の伸縮方向が伸長方向（Ｖｐｒ＞０）である場合に、補正電流Ｉｃｒとして所定量Ｉ２を設定する。それゆえ、Ｖｐｒ＞０の場合であって、かつ、所定値Ｇｘ３が０（ｇ）よりも大きな値（正の値）であり、所定値Ａｒ１が０（ｇ）未満の値（負の値）である場合、すなわち、Ａｒ＜Ｇｘである場合には、ＴＣＳ９０により後輪３の駆動トルクが低下させられ、駆動トルクが減少し、後輪３が減速したときに、補正電流Ｉｃｒとして所定量Ｉ２を設定する。これにより、目標電流Ｉｔｒが大きくなり、伸長方向の減衰力が大きくなる。その結果、サスペンション２２が伸び難くなる。つまり、ＴＣＳ９０により、後輪３の駆動トルクが低下させられ、後輪３が減速する際に、サスペンション２２が伸び難くなる。その結果、急加速操作が行われた後、スロットルグリップ１７が戻されるまでに、駆動トルクの増加と減少のサイクルが繰り返されたとしても、振動が発生し難くなる。また、たとえ、振動が発生したとしても、振幅が小さくなる。すなわち、制御装置６００によれば、急加速操作が行われたとしても制御装置６００を有する自動二輪車の挙動が安定する。それゆえ、操舵フィーリングが向上する。
【００５３】
また、急加速操作が行われた場合、ＴＣＳ９０の作動により、後輪３の駆動トルクが低下させられたことに起因してサスペンション２２が伸び難くなると、その後ＴＣＳ９０が非作動となり後輪３の駆動トルクが増加したときのばね力が大きくなる。その結果、後輪３の路面との接地荷重が早期に大きくなる。そして、ＴＣＳ９０が非作動となって駆動トルクが増加し、再度後輪３が空転すると、ＴＣＳ９０により後輪３の駆動トルクが低下させられる。これらにより、ＴＣＳ９０が非作動となった後に再度ＴＣＳ９０が作動し、その後再度ＴＣＳ９０が非作動になるというサイクルの周期が短くなるので、サスペンション２２が伸長方向の動作、圧縮方向の動作、伸長方向の動作へと切り換わる周期が短くなる。また、周期が短くなるので、早期に制御装置６００を有する自動二輪車の速度が上昇する。
このように、制御装置６００によれば、急加速操作が行われたとしても、振動の振幅を小さくすることができ、さらに、振動の周期を短くすることができる。これにより、制御装置６００を有する自動二輪車の挙動が安定し、運転者は揺動を感じ難くなる。したがって、制御装置６００を有することにより、急加速操作が行われたときの挙動が安定し、操舵フィーリングを向上させることが可能な、自動二輪車を提供することができる。
【００５４】
上述したように、制御装置６００は、車両本体１０と車輪の一例としての後輪３との間に生じる力を減衰させる減衰装置２２ｄの減衰力を、車両本体１０の前後加速度Ｇｘと、後輪３の回転加速度の一例としての後輪加速度Ａｒとを用いて制御する。
急加速操作が行われた場合について例示したように、前後加速度Ｇｘと後輪加速度Ａｒは、制御装置６００を有する自動二輪車の挙動を把握する上での指標となる。それゆえ、これらの値を用いて減衰装置２２ｄの減衰力を制御することで、車両の挙動を安定させることが可能となる。
【００５５】
例えば、前後加速度Ｇｘが０（ｇ）よりも大きな値である所定値Ｇｘ３以上、つまり車両本体１０が加速しているときに、後輪加速度Ａｒが０（ｇ）未満の値である所定値Ａｒ１以下、つまり後輪３が減速している状況は、加速操作を行わない場合には生じない状況である。このような状況である場合に、減衰装置２２ｄの減衰力を大きくすることで、サスペンション２２の動作が不安定になることを抑制することが可能となる。車両本体１０が加速しているときに、後輪３が減速している場合には、車両本体１０が加速しているにも関わらずサスペンション２２が伸長方向に動作していると考えられるため、減衰装置２２ｄの伸長方向の減衰力を大きくすることで、不安定になることを抑制することが可能となる。
【００５６】
また、制御装置６００は、後輪３の空転を抑制するように制御するＴＣＳ９０が作動しているか否か、を判断する装置としても捉えることができる。そして、制御装置６００は、ＴＣＳ９０が作動していると判断した場合には、ＴＣＳ９０が作動していると判断していない場合よりも減衰力を大きくする。制御装置６００は、前後加速度Ｇｘが所定値Ｇｘ３以上であり、かつ、後輪加速度Ａｒが所定値Ａｒ１以下である場合に、後輪３の空転を抑制するようにＴＣＳ９０が作動していると判断する。
【００５７】
なお、上述した第４の実施形態において、補正電流Ｉｃｒは、一定でなくても良い。例えば、前後加速度Ｇｘが大きいほど大きな値に設定しても良い。
また、補正部６２２は、補正電流Ｉｃｆとして０を出力するのではなく、補正電流Ｉｃｆを出力しないようにしても良い。
【００５８】
また、第４の実施形態に係る制御装置６００は、上記補正部６２２に加えて、第１の実施形態に係る制御装置１００が有する補正部１２２、第２の実施形態に係る制御装置４００が有する補正部４２２、及び、第３の実施形態に係る制御装置５００が有する補正部５２２からなる群より選択される、いずれか一の補正部を有しても良い。そして、目標設定部１２３は、補正部６２２が設定した補正電流Ｉｃｆ、Ｉｃｒと、一の補正部（例えば補正部１２２）が設定した補正電流Ｉｃｆ、Ｉｃｒと、を用いて目標電流Ｉｔｆ、Ｉｔｒを設定しても良い。例えば、目標設定部１２３は、基準部１２１が設定した基準電流Ｉｂｆ、Ｉｂｒと、補正部６２２が設定した補正電流Ｉｃｆ、Ｉｃｒと、一の補正部（例えば補正部１２２）が設定した補正電流Ｉｃｆ、Ｉｃｒと、を加算することにより得た値を目標電流Ｉｔｆ、Ｉｔｒに設定しても良い。
【００５９】
＜第５の実施形態＞
図１２は、第５の実施形態に係る制御装置７００の補正部７２２の概略構成を示す図である。
第５の実施形態に係る制御装置７００は、第４の実施形態に係る制御装置６００に対して、補正部６２２に相当する補正部７２２が異なる。以下、制御装置６００と異なる点について説明する。制御装置６００と制御装置７００とで、同じ機能を有するものについては同じ符号を付し、その詳細な説明は省略する。
【００６０】
補正部７２２は、伸縮判断部６８７に代えて、サスペンション２１が伸長方向であるのか圧縮方向であるのかを判断するとともに、圧縮方向であると判断した場合には、その旨を出力する伸縮判断部７８２を有している。伸縮判断部７８２は、速度Ｖｐｆ＜０である場合に圧縮方向であると判断する。
また、補正部７２２は、補正設定部６９０に代えて、第３判断部６５２による判断結果、第４判断部６７３による判断結果、及び、伸縮判断部７８２による判断結果を用いて補正電流Ｉｃｆを設定する補正設定部７９０を有している。
補正設定部７９０は、前後加速度Ｇｘが所定値Ｇｘ４以上であると第３判断部６５２が判断し、かつ、後輪加速度Ａｒが所定値Ａｒ２以下であると第４判断部６７３が判断し、かつ、サスペンション２１の伸縮方向が圧縮方向であると伸縮判断部７８２が判断した場合には、予め定められた所定量Ｉ３を補正電流Ｉｃｆとして設定する。すなわち、補正設定部７９０は、前後加速度Ｇｘ≧所定値Ｇｘ４、かつ、後輪加速度Ａｒ≦所定値Ａｒ２、かつ、Ｖｐｆ＜０である場合には所定量Ｉ３を補正電流Ｉｃｆとして設定する。所定量Ｉ３は、図４を用いて説明した、速度Ｖｐｆが第１所定速度Ｖ１より小さいときの基準電流Ｉｂｆよりも小さな、正の電流量であることを例示することができる。
一方、補正設定部７９０は、上記以外の場合、すなわち、前後加速度Ｇｘ＜所定値Ｇｘ４であるか、又は、後輪加速度Ａｒ＞所定値Ａｒ２であるか、又は、サスペンション２１が圧縮方向ではない場合には補正電流Ｉｃｆを０に設定する。
また、補正設定部７９０は、補正電流Ｉｃｒを０に設定する。
上述した伸縮判断部７８２、補正設定部７９０は、上記処理を、予め定めた期間（例えば１ミリ秒）毎に繰り返し行う。
【００６１】
第２比較車において、スロットルグリップ１７が急に回されることによる急加速操作が行われた場合に、前輪２側のサスペンション２１に着目すると、後輪３の駆動トルクが減少するとサスペンション２１が縮み、その後、駆動トルクが増加して後輪３が加速することでサスペンション２１が伸びる。ゆえに、急加速操作が行われた後、スロットルグリップ１７が戻されるまで、駆動トルクの減少と増加のサイクルが繰り返されることで、サスペンション２１の縮み動作と伸び動作が繰り返され、振動が発生し易くなる。
【００６２】
これに対して、制御装置７００を有する自動二輪車においては、制御装置７００の補正部７２２の補正設定部７９０が、前後加速度Ｇｘが所定値Ｇｘ４以上、かつ、後輪加速度Ａｒが所定値Ａｒ２以下である場合であって、サスペンション２１の伸縮方向が圧縮方向（Ｖｐｆ＜０）である場合に、補正電流Ｉｃｆとして所定量Ｉ３を設定する。それゆえ、Ｖｐｆ＜０の場合であって、かつ、所定値Ｇｘ４が０（ｇ）よりも大きな値（正の値）であり、所定値Ａｒ２が０（ｇ）未満の値（負の値）である場合、すなわち、Ａｒ＜Ｇｘである場合には、ＴＣＳ９０により後輪３の駆動トルクが低下させられて、後輪３が減速したときに、補正電流Ｉｃｆとして所定量Ｉ３を設定する。これにより、目標電流Ｉｔｆが大きくなり、圧縮方向の減衰力が大きくなる。その結果、サスペンション２１が縮み難くなる。つまり、ＴＣＳ９０により、後輪３の駆動トルクが低下させられ、後輪３が減速する際に、サスペンション２１が縮み難くなる。その結果、急加速操作が行われた後、スロットルグリップ１７が戻されるまでに、駆動トルクの増加と減少のサイクルが繰り返されたとしても、振動が発生し難くなる。また、たとえ、振動が発生したとしても、振幅が小さくなる。さらに、ＴＣＳ９０が非作動となった後に再度ＴＣＳ９０が作動し、その後再度ＴＣＳ９０が非作動になるというサイクルの周期が短くなる。
このように、制御装置７００によれば、急加速操作が行われたとしても、振動の振幅を小さくすることができ、さらに、振動の周期を短くすることができる。これにより、自動二輪車の挙動が安定し、運転者は揺動を感じ難くなる。したがって、制御装置７００を有することにより、急加速操作が行われたときの挙動が安定し、操舵フィーリングを向上させることが可能な、自動二輪車を提供することができる。
【００６３】
なお、上述した第５の実施形態において、補正電流Ｉｃｆは、一定でなくても良い。例えば、前後加速度Ｇｘが大きいほど大きな値に設定しても良い。
また、補正部７２２は、補正電流Ｉｃｒとして０を出力するのではなく、補正電流Ｉｃｒを出力しないようにしても良い。
また、第５の実施形態における所定値Ｇｘ４は、第４の実施形態における所定値Ｇｘ３と同一であっても良く、異なっていても良い。
また、第５の実施形態における所定値Ａｒ２は、第４の実施形態における所定値Ａｒ１と同一であっても良く、異なっていても良い。
【００６４】
また、第５の実施形態に係る制御装置７００は、上記補正部７２２に加えて、第１の実施形態に係る制御装置１００が有する補正部１２２、第２の実施形態に係る制御装置４００が有する補正部４２２、及び、第３の実施形態に係る制御装置５００が有する補正部５２２からなる群より選択される、いずれか一の補正部を有しても良い。そして、目標設定部１２３は、補正部７２２が設定した補正電流Ｉｃｆ、Ｉｃｒと、一の補正部（例えば補正部１２２）が設定した補正電流Ｉｃｆ、Ｉｃｒと、を用いて目標電流Ｉｔｆ、Ｉｔｒを設定しても良い。例えば、目標設定部１２３は、基準部１２１が設定した基準電流Ｉｂｆ、Ｉｂｒと、補正部７２２が設定した補正電流Ｉｃｆ、Ｉｃｒと、一の補正部（例えば補正部１２２）が設定した補正電流Ｉｃｆ、Ｉｃｒと、を加算することにより得た値を目標電流Ｉｔｆ、Ｉｔｒに設定しても良い。
【００６５】
＜第６の実施形態＞
図１３は、第６の実施形態に係る制御装置８００の補正部８２２の概略構成を示す図である。
第６の実施形態に係る制御装置８００は、第４の実施形態に係る制御装置６００に対して、補正部６２２に相当する補正部８２２が異なる。以下、制御装置６００と異なる点について説明する。制御装置６００と制御装置８００とで、同じ機能を有するものについては同じ符号を付し、その詳細な説明は省略する。
【００６６】
補正部８２２は、伸縮判断部６８７に加えて、第５の実施形態に係る補正部７２２が有する伸縮判断部７８２を有している。
また、補正部８２２は、補正設定部６９０に代えて、第３判断部６５２による判断結果、第４判断部６７３による判断結果、及び、伸縮判断部７８２による判断結果を用いて補正電流Ｉｃｆを設定するとともに、第３判断部６５２による判断結果、第４判断部６７３による判断結果、及び、伸縮判断部６８７による判断結果を用いて補正電流Ｉｃｒを設定する補正設定部８９０を有している。
【００６７】
補正設定部８９０は、補正設定部６９０と同様の手法を用いて、補正電流Ｉｃｒを設定する。また、補正設定部８９０は、第５の実施形態に係る補正設定部７９０と同様の手法を用いて、補正電流Ｉｃｆを設定する。
つまり、補正設定部８９０は、前後加速度Ｇｘ≧所定値Ｇｘ３、かつ、後輪加速度Ａｒ≦所定値Ａｒ１である場合に、Ｖｐｒ＞０である場合には所定量Ｉ２を補正電流Ｉｃｒとして設定する。また、補正設定部８９０は、前後加速度Ｇｘ≧Ｇｘ４、かつ、後輪加速度Ａｒ≦所定値Ａｒ２である場合に、Ｖｐｆ＜０である場合には所定量Ｉ３を補正電流Ｉｃｆとして設定する。
一方、補正設定部８９０は、上記以外の場合には補正電流Ｉｃｆ、Ｉｃｒを０に設定する。
第６の実施形態に係る制御装置８００によれば、第４の実施形態に係る制御装置６００が奏する効果と、第５の実施形態に係る制御装置７００が奏する効果とを奏することができる。すなわち、制御装置８００によれば、急加速操作が行われたとしても、振動の振幅を小さくすることができ、さらに、振動の周期を短くすることができる。これにより、自動二輪車の挙動が安定し、運転者は揺動を感じ難くなる。したがって、制御装置８００を有することにより、急加速操作が行われたときの挙動が安定し、操舵フィーリングを向上させることが可能な、自動二輪車を提供することができる。
【００６８】
なお、第６の実施形態に係る制御装置８００は、上記補正部８２２に加えて、第１の実施形態に係る制御装置１００が有する補正部１２２、第２の実施形態に係る制御装置４００が有する補正部４２２、及び、第３の実施形態に係る制御装置５００が有する補正部５２２からなる群より選択される、いずれか一の補正部を有しても良い。そして、目標設定部１２３は、補正部８２２が設定した補正電流Ｉｃｆ、Ｉｃｒと、一の補正部（例えば補正部１２２）が設定した補正電流Ｉｃｆ、Ｉｃｒと、を用いて目標電流Ｉｔｆ、Ｉｔｒを設定しても良い。例えば、目標設定部１２３は、基準部１２１が設定した基準電流Ｉｂｆ、Ｉｂｒと、補正部８２２が設定した補正電流Ｉｃｆ、Ｉｃｒと、一の補正部（例えば補正部１２２）が設定した補正電流Ｉｃｆ、Ｉｃｒと、を加算することにより得た値を目標電流Ｉｔｆ、Ｉｔｒに設定しても良い。
【００６９】
なお、上述した各実施形態における制御装置（例えば制御装置１００）の構成要素は、ハードウェアによって実現されていても良いし、ソフトウェアによって実現されていても良い。また、本発明の構成要素の一部または全部がソフトウェアで実現される場合には、そのソフトウェア（コンピュータープログラム）は、コンピューター読み取り可能な記録媒体に格納された形で提供することができる。「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等の外部記憶装置も含む。
【符号の説明】
【００７０】
１…自動二輪車、２…前輪、３…後輪、１０…車両本体、２０…懸架システム、２１…サスペンション、２１ｄ…第１減衰装置、２２…サスペンション、２２ｄ…第２減衰装置、６０…制動装置、８０…アンチロックブレーキシステム、９０…トラクションコントロールシステム、１００、４００、５００、６００、７００、８００…制御装置、１１０…算出部、１２０…設定部、１２１…基準部、１２２，４２２，５２２、６２２，７２２，８２２…補正部、２００…減衰装置、２４０…減衰力制御弁
【要約】
制御装置は、車両本体と前輪との間に生じる力を減衰させる減衰装置の減衰力を、車両本体の前後加速度Ｇｘと、前輪の回転加速度Ａｆとを用いて制御する。【図１】
0006636210.tif 000002
【図２】
0006636210.tif 000003
【図３】
0006636210.tif 000004
【図４】
0006636210.tif 000005
【図５】
0006636210.tif 000006
【図６】
0006636210.tif 000007
【図７】
0006636210.tif 000008
【図８】
0006636210.tif 000009
【図９】
0006636210.tif 000010
【図１０】
0006636210.tif 000011
【図１１】
0006636210.tif 000012
【図１２】
0006636210.tif 000013
【図１３】
0006636210.tif 000014